(57)【特許請求の範囲】
【請求項１】
電話信号のダイバーシティ受信を行うための第１アンテナおよび第２アンテナと、
電話信号を処理する電話信号処理回路と、
放送波を受信するための第３アンテナと、
放送信号を処理する放送信号処理回路と、
前記第１アンテナの受信信号を周波数変換して前記電話信号回路に出力する第１ＩＦ変換部と、
第２アンテナまたは第３アンテナからの信号を周波数変換して前記電話信号回路および前記放送信号処理回路に出力する第２ＩＦ変換部と、
前記第２アンテナの受信信号と前記第３アンテナの受信信号とのいずれかが前記第２ＩＦ変換部に入力されるように切り換えるスイッチと、
放送受信を能動化させる操作を受け付ける操作手段と、
携帯電話装置全体を制御する制御回路と、を備え、
前記制御回路は、前記操作手段で放送受信を能動化する操作の無いときは、前記第１ＩＦ変換部では前記第１アンテナからの受信信号を処理し、前記第２ＩＦ変換部では前記第２アンテナからの受信信号を処理してダイバーシティ受信を行うように前記スイッチを制御し、
前記操作手段で放送受信を能動化する操作の有るときは、前記第１ＩＦ変換部では前記第１アンテナからの受信信号を処理し、前記第２ＩＦ変換部では前記第３アンテナからの受信信号を処理するように前記スイッチを切り換えて電話信号および放送波を受信するように制御を行うことを特徴とする携帯電話装置。
【請求項２】
請求項１に記載の携帯電話装置において、
通話を開始するための通話・フックスイッチを具備し、
前記制御回路は、放送受信が能動化されているときに前記通話・フックスイッチが操作されて通話が開始されたとき、前記第２ＩＦ変換部では前記第２アンテナからの受信信号を処理してダイバーシティ受信を行うように前記スイッチを制御して通話を開始することを特徴とする携帯電話装置。
【発明の詳細な説明】
【０００１】
【産業上の利用分野】
本発明は屋外で使用が可能な携帯電話装置に関するものである。
【０００２】
【従来の技術】
通信技術の発達に伴い、屋外に持ち運んで使用が可能な、いわゆる携帯電話装置が一般的になっている。ところでこのような携帯電話装置は、屋外での使用においては、電話を掛けるときや掛かってきたとき以外は、着信の有無を検出するための間欠的な受信動作を行なってはいるが、電話装置としては使用されていない。このため、この通話以外の時間に、携帯電話装置をラジオとして使用することが考えられ、たとえば特開平４−１３４９５２号公報（Ｈ０４Ｍ  １／０２）に記載されている。この従来技術における携帯電話装置は、カセットテープレコーダ部および／またはラジオ部を一体的に備えたことを特徴とするものであり、電話を使用しない時にはカセットテープレコーダまたはラジオとして活用するものである。
【０００３】
【発明が解決しようとする課題】
しかしながら上述の従来技術では、電話装置本体の回路ブロックと、たとえばラジオの機能を実現する回路ブロックとを有しており、これらの各回路ブロックを必要に応じて制御部によって切り替えるよう構成されている。このため、回路構成が大型化し、小型軽量化が要求される携帯電話装置としては実用的でないという問題点があった。
【０００４】
一方、現状の携帯電話装置においては、フェージング対策として、受信回路を２系統設け、これらの各受信回路に空間的に離れた位置に２つのアンテナを設け、受信時には各受信回路で受信された信号のいずれか１つを採用するダイバーシティ受信方式が採用されている。このような携帯電話装置において上記従来技術を採用する場合、ラジオ受信の為の受信回路がさらに必要となり、小型の携帯電話装置では実施が困難であるという問題点があった。
【０００５】
【課題を解決するための手段】
請求項１に係る本発明の携帯電話装置は、上記の目的を達成するために、電話信号のダイバーシティ受信を行うための第１アンテナおよび第２アンテナと、電話信号を処理する電話信号処理回路と、放送波を受信するための第３アンテナと、放送信号を処理する放送信号処理回路と、前記第１アンテナの受信信号を周波数変換して前記電話信号回路に出力する第１ＩＦ変換部と、第２アンテナまたは第３アンテナからの信号を周波数変換して前記電話信号回路および前記放送信号処理回路に出力する第２ＩＦ変換部と、前記第２アンテナの受信信号と前記第３アンテナの受信信号とのいずれかが前記第２ＩＦ変換部に入力されるように切り換えるスイッチと、放送受信を能動化させる操作を受け付ける操作手段と、携帯電話装置全体を制御する制御回路と、を備え、前記制御回路は、前記操作手段で放送受信を能動化する操作の無いときは、前記第１ＩＦ変換部では前記第１アンテナからの受信信号を処理し、前記第２ＩＦ変換部では前記第２アンテナからの受信信号を処理してダイバーシティ受信を行うように前記スイッチを制御し、前記操作手段で放送受信を能動化する操作の有るときは、前記第１ＩＦ変換部では前記第１アンテナからの受信信号を処理し、前記第２ＩＦ変換部では前記第３アンテナからの受信信号を処理するように前記スイッチ切り換えて電話信号および放送波を受信するように制御を行うことを特徴とする。
【０００６】
請求項２に係る本発明の携帯電話装置は、請求項１に記載の携帯電話装置において、通話を開始するための通話・フックスイッチを具備し、前記制御回路は、放送受信が能動化されているときに前記通話・フックスイッチが操作されて通話が開始されたとき、前記第２ＩＦ変換部では前記第２アンテナからの受信信号を処理してダイバーシティ受信を行うように前記スイッチを制御して通話を開始することを特徴とする。
【０００７】
【作用】
通常の待ち受け状態においては一方のＩＦ発振回路からの信号を２つの受信回路で共通に使用し、ダイバーシティ受信を行うとともに、使用者の設定に基づいて、待ち受け状態においてラジオ放送を受信する場合は、２つのＩＦ発信回路の内の電話機用の１つが一方の受信回路に供給され、ラジオ用の他方がもう一方のラジオ受信機に供給されラジオが受信される。
【０００８】
【実施例】
以下図面にしたがって本発明の実施例を説明する。図１は本発明を示すブロック図であり、図において、１及び２は互いに距離を隔てて配置されるダイバーシティ受信用のアンテナ、３はラジオ放送を受信するためのアンテナ、４及び５はＲＦ用バンドパスフィルタ、６及び７はＲＦ増幅器、８及び９は受信信号とＲＦローカル発振器１０から出力されるＲＦローカル信号とを周波数混合しＩＦ周波数に変換するＲＦ混合器、１１及び１２はＩＦ用バンドパスフィルタである。１３は第１のＩＦ混合器、１４は第２のＩＦ混合器であり、第１ＩＦ混合器１３はＩＦローカル発振器１５から出力されるＩＦローカル信号と受信信号とを周波数混合して第２ＩＦ周波数に変換する。また、もう一方の第２ＩＦ混合器１４は、アンテナ２によって受信された信号かもしくはラジオ用アンテナ３によって受信されたラジオ信号のいずれかと、ＩＦローカル発振器１５もしくはラジオ放送用ＩＦ発振器１６から出力されるＩＦローカル信号とを周波数混合して第２ＩＦ信号に変換する。
【０００９】
１７は受信信号を切り換える第１スイッチ、１８はＩＦローカル信号を切り換える第２スイッチ、１９及び２０は第２ＩＦ用バンドパスフィルタ、２１及び２２はＩＦ増幅器、２３は電話信号処理回路、２４はラジオ放送信号処理回路、２５は電話信号と放送信号のいずれかを選択し受話スピーカ２６及びイヤホン用端子２７に送出する第３スイッチ、２８は電話の着信を示す報知音を出力するリンガー用スピーカ、２９はテンキー、３０は各種情報を表示する表示器、３１はラジオ受信用操作ボタン、３２は通話・フックスイッチ、３３は装置全体を制御する制御回路である。
【００１０】
次に本発明による携帯電話装置の動作を説明する。携帯電話装置のみの機能を動作させる場合には、図１に示すように、第１スイッチ１７、第２スイッチ１８及び第３スイッチ２５は、制御回路３３の制御によって接点Ａ側に設定される。したがってこの状態では、アンテナ１及び２から受信された信号は、ＲＦバンドパスフィルタ４、５で帯域制限され、ＲＦ増幅器６、７で増幅された後、ＲＦローカル発振器１０によって発振されるＲＦローカル信号とＲＦ混合器８、９で周波数混合されＩＦ周波数に変換される。ここでＩＦ周波数としては一般的に１００〜２００ＭＨｚが使われている。ＩＦ周波数に変換された信号はＩＦバンドパスフィルタ１１、１２で不要な成分を除去した後、ＩＦローカル発振器１５で発振されるＩＦローカル信号と第１、第２ＩＦ混合器１３、１４で周波数混合され第２ＩＦ周波数に変換される。この第２ＩＦ周波数としては一般的に４５０〜４５５ＫＨｚが用いられる。第２ＩＦ周波数に変換された信号は第２ＩＦバンドパスフィルタ１９、２０で不要な成分を除去した後、ＩＦ増幅器２１、２２でリミッタ増幅され、電話信号処理回路２３に入力される。電話信号処理回路２３では、アンテナ１もしくは２で受信された信号のうち強度の高い方の信号について必要な信号処理を行い、第３スイッチ２５を介して、受話スピーカ２６およびイヤホン端子２７に送出される。これがダイバーシチ受信モードの動作である。
【００１１】
次に待ち受け状態の動作を説明すると、待ち受け時にラジオ放送を受信する為に使用者がラジオ受信用操作釦３１を操作した場合、制御回路３３により第１スイッチ１７、第２スイッチ１８及び第３スイッチ２５が、接点Ｂ側に切り換えられる。これにより、ＩＦローカル発振器１５のＩＦローカル信号は第１ＩＦ混合器１３のみに供給されるとともに、第２ＩＦ混合器１４にはラジオ受信用アンテナ３から受信される信号と、ラジオ放送用ＩＦ発振器１６からのＩＦローカル信号が入力される。受信されたラジオ信号は、第２ＩＦ混合器１４により第２ＩＦ周波数に変換された後、第２ＩＦバンドパスフィルタ２０、ＩＦ増幅器２２を経て放送波信号処理回路２４に入力され、第３スイッチ２５の接点Ｂを通じてスピーカ２６およびイヤホン端子２７から出力される。
【００１２】
このとき、アンテナ１から入力する電話装置用の信号は電話信号処理回路２３に入力されているため、放送波受信中も電話装置として必要な待ち受け動作は継続させておく事ができる。この待ち受け動作時において、電話信号処理回路２３が自分の電話呼出を検出した場合は、その旨制御回路３３に知らせる。制御回路３３ではこれに基づいてリンガー用スピーカ２８を鳴らし、使用者に着信を報知する。通話を開始するために使用者によって通話・フックスイッチ３２が操作されると、制御回路３３によって第１、第２および第３スイッチ１７、１８、２５がそれぞれ接点Ａ側に切り換えられる。この結果、ラジオ放送の受信は中断されるとともに、アンテナ１、２によって受信される信号によりダイバーシティ受信動作が行われ、スピーカ２６及びイヤホン端子２７には電話信号処理回路２３からの信号が出力され、通話が行われる。
【００１３】
【発明の効果】
以上説明したように本発明の携帯電話装置によれば、簡単な構成でラジオ放送受信中の待ち受け動作を行うことができ、しかもラジオ放送を聞いていても速やかな通話動作への切り換えを行うことができる。
【図面の簡単な説明】
【図１】本発明による携帯電話装置を示すブロック図である。
【符号の説明】
１          第１のアンテナ
２          第２のアンテナ
３          第３のアンテナ
１３        第１のＩＦ混合器
１４        第２のＩＦ混合器
１５        ＩＦローカル発振器
１６        放送用ＩＦローカル発振器
１７        第１のスイッチ
１８        第２のスイッチ
【図１】
0003796223.tif 000002